(57)【要約】  説明する例において、或る方法が、第１のデバイスからセキュアなワイヤレスネットワークにおいてリクエスト（１６２）を送信することを含む。リクエストは、第１のデバイスがピア構成方法を実装可能であることを示す、所定の情報要素を含む。ワイヤレスネットワークにおいて既に動作している少なくとも一つの他のデバイスから、所定の情報要素を含む応答（１６４）を受信することに応答して、この方法は更に、第１のデバイスと他のデバイスとの間にセキュアチャネル（１６５）を確立することを含む。この方法は更に、セキュアチャネルを介してネットワーク構成データ（１７２）を第１のデバイスにおいて受信することを含み、ネットワーク構成データ（１７２）は、第１のデバイスをワイヤレスネットワークに接続可能にするのに充分である。
2018513575.tif 000002
【特許請求の範囲】
【請求項１】
方法であって、
第１のデバイスからセキュアなワイヤレスネットワークにおいてリクエストを送信することであって、前記リクエストが、前記第１のデバイスがピア構成方法を実装可能であることを示す所定の情報要素を含む、前記リクエストを送信すること、
前記ワイヤレスネットワークにおいて既に動作している少なくとも一つの他のデバイスから、前記所定の情報要素を含む応答を受信することに応答して、前記第１のデバイスと前記他のデバイスとの間にセキュアチャネルを確立すること、及び
前記セキュアチャネルを介してネットワーク構成データを前記第１のデバイスにおいて受信すること、
を含み、
前記ネットワーク構成データが、前記第１のデバイスを前記ワイヤレスネットワークに接続可能にするのに充分である、
方法。
【請求項２】
請求項１に記載の方法であって、前記セキュアチャネルを確立することが非対称暗号方式を含む、方法。
【請求項３】
請求項１に記載の方法であって、前記所定の情報要素が、送信者についてのデバイス識別子、及び、前記第１のデバイスが前記ピア構成方法を実装可能であることを示す静的コードを含む、方法。
【請求項４】
請求項１に記載の方法であって、前記ワイヤレスネットワークにおいて既に動作している前記少なくとも一つの他のデバイスが、前記ワイヤレスネットワークにおいて既に動作している複数の他のデバイスを含み、前記セキュアチャネルが、前記第１のデバイスと前記複数の他のデバイスのうちの選択されたデバイスとの間で確立される、方法。
【請求項５】
請求項４に記載の方法であって、更に、相対的信号強度と、前記複数の他のデバイスの各々から前記第１のデバイスにおいて受信される応答から決定される前記複数の他のデバイス間の予備電力と、ユーザ入力に応答した手動選択とのうちの、少なくとも一つの評価に基づいて、前記複数の他のデバイスから前記選択されたデバイスを選択することを含む、方法。
【請求項６】
請求項１に記載の方法であって、前記ネットワーク構成データが、前記ワイヤレスネットワークにおいて動作している認証されたデバイスにおいて入力されるユーザ入力に応答して受信される、方法。
【請求項７】
請求項６に記載の方法であって、更に、
前記他のデバイスからの確認リクエストを、前記ワイヤレスネットワークの認可されたユーザに送信すること、及び、
ユーザ確認が入力されることに応答して、前記ネットワーク構成データを前記他のデバイスから前記第１のデバイスへ送信すること、
を含む、方法。
【請求項８】
請求項７に記載の方法であって、更に、
（ｉ）  前記第１のデバイスが前記ワイヤレスネットワークに正常に接続されたことを示すために、前記第１のデバイスから前記認可されたユーザへ通知を送信すること、又は
（ｉｉ）  前記第１のデバイスが前記ワイヤレスネットワークへの接続に失敗した場合、前記第１のデバイスから前記第２のデバイスへ前記セキュアチャネルを介して失敗通知を送信すること、
のうちの一つを含む、方法。
【請求項９】
請求項１に記載の方法であって、前記第１のデバイスがヘッドレスデバイスである、方法。
【請求項１０】
請求項１に記載の方法であって、更に、事後構成された状態に対応して、前記ネットワーク構成データを用いて前記ワイヤレスネットワークにおいて動作するように前記第１のデバイスを構成することを含み、
前記第１のデバイスが、他の事前構成されたネットワークデバイスを前記ワイヤレスネットワークにおいて動作するようにプログラミングするため前記事後構成された状態でイネーブルされるか、又は、他の事前構成されたネットワークデバイスをプログラミングするようにイネーブルされない、ピア構成として動作するようにプログラミングされる、
方法。
【請求項１１】
ワイヤレスデバイスであって、
データをワイヤレスに通信するためのトランシーバ、
データ及び命令を記憶するためのメモリ、及び、
前記メモリにアクセスし、或る方法を実施するために前記命令を実行するためのプロセッサ、
を含み、
前記方法が、
構成マネージャを用いて、ワイヤレスネットワークにおいて前記トランシーバを介してリクエストを送信することを含み、
前記リクエストが、前記ワイヤレスデバイスがピア構成方法を実装するように構成されることを示すための所定の構成情報要素を含み、
前記構成マネージャが、他のワイヤレスデバイスからの応答を受信することに応答して、別のワイヤレスデバイスとのセキュアワイヤレス通信チャネルを確立し、
前記構成マネージャが、前記ワイヤレスネットワークにおいて前記ワイヤレスデバイスを接続するために、前記セキュアワイヤレス通信チャネルを介して受信したネットワーク情報を用いる、
ワイヤレスデバイス。
【請求項１２】
請求項１１に記載のワイヤレスデバイスであって、前記構成マネージャが、
前記メモリに記憶される所定の構成データに基づいて前記リクエストを生成するためのメッセージングエンジン、及び、
前記リクエストを生成するために前記メッセージングエンジンを制御するため、事前構成された状態においてイネーブルされる事前構成された制御を含む状態機械、
を含む、ワイヤレスデバイス。
【請求項１３】
請求項１１に記載のワイヤレスデバイスであって、前記状態機械が、前記ワイヤレスネットワークにおいて前記ワイヤレスデバイスを成功裏に接続することに応答して、事後構成された状態に遷移し、
前記構成マネージャが、更に、
事前構成されたワイヤレスデバイスから受信される別のリクエストの内容を評価するためのメッセージアナライザ、
前記事前構成されたワイヤレスデバイスからの前記他のリクエストへの応答を生成するため、及び、前記事前構成されたワイヤレスデバイスが前記ワイヤレスネットワークにおいて接続できるようにするために前記ネットワーク情報を提供するためのメッセージングエンジン、及び、
前記メッセージアナライザによる前記評価に基づいて、前記応答を生成するための前記メッセージングエンジンを制御するように、前記事後構成された状態で作用し得る事後構成された制御、
を含む、
ワイヤレスデバイス。
【請求項１４】
請求項１３に記載のワイヤレスデバイスであって、
前記事後構成された制御が、前記応答を前記事前構成されたワイヤレスデバイスに送信する前に、確認リクエストをユーザに送信するために前記トランシーバを制御するようにプログラミングされ、
前記メッセージングエンジンが、前記ユーザから承認を受信することに応答して、前記応答を前記トランシーバを介して前記事前構成されたワイヤレスデバイスに送信する、
ワイヤレスデバイス。
【請求項１５】
請求項１１に記載のワイヤレスデバイスであって、前記構成マネージャが、複数の利用可能な他のワイヤレスデバイスの各々から受信される応答における基準の評価に基づいて、前記複数の利用可能な他のワイヤレスデバイスから前記他のワイヤレスデバイスを選択するようにプログラミングされる、ワイヤレスデバイス。
【請求項１６】
請求項１１に記載のワイヤレスデバイスであって、
前記構成マネージャが、
前記ワイヤレスネットワークとの成功裏の接続に応答してユーザに通知を送信すること、又は、
事前構成されたワイヤレスデバイスが前記ワイヤレスネットワークへの接続に失敗した場合、前記セキュアワイヤレス通信チャネルを介して前記別のデバイスに失敗通知を送信すること、
のうちの一方を行うようにプログラミングされる、
ワイヤレスデバイス。
【請求項１７】
請求項１１に記載のワイヤレスデバイスであって、前記ネットワーク情報が、少なくともネットワーク識別子、及び、前記ワイヤレスネットワークと接続するために要求されるパスワードを含む、ワイヤレスデバイス。
【請求項１８】
請求項１１に記載のワイヤレスデバイスであって、前記メモリが、暗号鍵を特定する暗号化データを更に含み、前記トランシーバが、前記セキュアワイヤレス通信チャネルを確立するために前記暗号鍵を前記他のデバイスに提供する、ワイヤレスデバイス。
【請求項１９】
方法であって、
ワイヤレスリクエストを、所与のデバイスで受信することであって、前記ワイヤレスリクエストが、前記ワイヤレスリクエストを提供したソースデバイスがピア構成方法を実装するように構成されることを示す所定の構成情報要素を含む、前記ワイヤレスリクエストを受信すること、
前記ワイヤレスリクエストに応答して、前記所与のデバイスからワイヤレス応答を提供することであって、前記ワイヤレス応答が、前記所与のデバイスも前記ピア構成方法を実装するように構成されることを示すため前記所定の構成情報要素を含む、前記ワイヤレス応答を提供すること、
前記所与のデバイスと前記ソースデバイスとの間でセキュアワイヤレスチャネルを確立すること、及び、
前記ソースデバイスが前記ワイヤレスネットワークと接続できるようにするために、前記所与のデバイスから前記ソースデバイスへ前記セキュアワイヤレスチャネルを介してネットワーク情報を送信すること、
を含む、方法。
【請求項２０】
請求項１９に記載の方法であって、更に、
前記ネットワーク情報を送信する前に、
前記ネットワーク情報の前記ソースデバイスへの前記送信を承認するためにユーザ確認応答を要求すること、及び、
前記ユーザ確認応答の受信に応答して、前記ソースデバイスにネットワーク情報を送信すること、
を含む、方法。
【発明の詳細な説明】
【技術分野】
【０００１】
本願は、ワイヤレスネットワークにおいて動作するようにワイヤレスデバイスを構成することに関する。
【背景技術】
【０００２】
モノのインターネット（ＩｏＴ／Internet of Things）は、ますます主流になりつつあり、インターネットに接続するという単純な目的に対して新時代を開いている。所与のデバイスをローカルネットワークに接続できるようにすることの一部が、所与のデバイスをローカルネットワークにオンボードするステップである。ローカルネットワークへのこうした初期の接続を容易にするため、様々な手法が開発されてきた。ユーザは、信頼性が高く、できる限りシームレスな、使いやすいソリューションを望んでいる。しかし、シームレスにする一方で、セキュリティにも妥協する訳には行かない。これら２つの目標が組み合わさることで、こういったソリューションが困難なタスクとなり得る。
【発明の概要】
【０００３】
説明する例において、或る方法が、第１のデバイスからセキュアなワイヤレスネットワークにおいてリクエストを送信することを含む。リクエストは、第１のデバイスがピア構成方法を実装可能であることを示す、所定の情報要素を含む。この方法は、ワイヤレスネットワークにおいて既に動作している少なくとも一つの他のデバイスから所定の情報要素を含む応答を受信することに応答して、第１のデバイスと他のデバイスとの間にセキュアチャネルを確立することも含む。この方法は、第１のデバイスでセキュアチャネルを介してネットワーク構成データを受信することも含み、ネットワーク構成データは、第１のデバイスをワイヤレスネットワークに接続させ得るのに充分である。
【０００４】
別の例として、ワイヤレスデバイスが、データをワイヤレスに通信するためのトランシーバを含むことができる。ワイヤレスデバイスは、データ及び命令を記憶するためのメモリと、メモリにアクセスし、或る方法を実行するための命令を実行するためのプロセッサとを含むこともできる。命令は、ワイヤレスネットワークにおいてトランシーバを介してリクエストを送信する構成マネージャを含むことができる。リクエストは、ワイヤレスデバイスがピア構成方法を実装するように構成されることを示すため所定の構成情報要素を含む。構成マネージャは、他のワイヤレスデバイスからの応答を受信することに応答して、別のワイヤレスデバイスとのセキュアワイヤレス通信チャネルを確立し得る。構成マネージャは、ワイヤレスネットワークにおいてワイヤレスデバイスを接続するために、セキュアワイヤレス通信チャネルを介して受信したネットワーク情報を用いることもできる。
【０００５】
更に別の例として、或る方法が、ワイヤレスリクエストを提供したソースデバイスがピア構成方法を実装するように構成されることを示す、所定の構成情報要素を含むワイヤレスリクエストを、所与のデバイスで受信することを含む。この方法は、ワイヤレスリクエストに応答して、所与のデバイスからワイヤレス応答を提供することも含む。ワイヤレス応答は、所与のデバイスもピア構成方法を実装するように構成されることを示すため所定の構成情報要素を含む。この方法は、所与のデバイスとソースデバイスとの間にセキュアワイヤレスチャネルを確立すること、及び、ソースデバイスをワイヤレスネットワークと接続させ得るように、セキュアチャネルを介して所与のデバイスからソースデバイスへネットワーク情報を送信することも含む。
【図面の簡単な説明】
【０００６】
【図１】ワイヤレスデバイス間のピア構成を例示するシステムの例を示す。
【０００７】
【図２】ピア構成を実装するためにワイヤレスデバイスによって実装され得る通信制御システムの例を示す。
【０００８】
【図３】ワイヤレスデバイスの構成マネージャによって用いられ得る構成データの例を示す。
【０００９】
【図４】一つのワイヤレスデバイスから別のワイヤレスデバイスに通信され得るピア構成情報要素の例を示す。
【００１０】
【図５】ピア構成を実装するようにプログラミングされる構成マネージャの例を示す。
【００１１】
【図６】新しいデバイスをワイヤレスネットワークと接続することを容易にするためのピア構成方法に関連付けられるデバイス間の情報の流れを例示するシグナリング図である。
【００１２】
【図７】ワイヤレスネットワークに接続するようにワイヤレスデバイスを構成するために用いられ得る方法を示すフローチャートである。
【００１３】
【図８】ワイヤレスネットワークと接続するように別のワイヤレスデバイスを構成するために実装可能な方法の例を示すフローチャートである。
【発明を実施するための形態】
【００１４】
本開示は、ワイヤレスネットワークにおいて動作するようにワイヤレスデバイスを構成することに関する。例えば、新たなデバイスに、ワイヤレスネットワークにおいて動作するように既に接続されている別のデバイスから構成情報を取得させ得るピア構成方法を実装するように、複数のデバイスが構成され得る。既に構成されたデバイスは、信頼できるエージェントと呼ぶことができる。新しいデバイスは、ピア構成方法を実装するように構成されているものとして新しいデバイスを識別する所定の情報要素を含むプローブリクエストを伝送することなどによって、一つ又は複数の信頼できるエージェントにその存在を告知する。ピア構成方法を実装するための相互認証の後、新しいデバイス及び信頼できるエージェントは、セキュアワイヤレスチャネルを（例えば、非対称暗号技術を介して）確立し得る。次いで、信頼できるエージェントは、新しいデバイスがワイヤレスネットワークにおいて動作できるようにするために、セキュアワイヤレスリンクを介してネットワークアクセス証明書（credentials）を新しいデバイスに提供し得る。いくつかの例において、このプロセスは、ユーザの介入なしに開始及び完了され得る。他の例において、ユーザによる確認を必要とするメッセージを送信することなどによって、新しいデバイスのための構成プロセスを完了するためにユーザ入力が要求され得る。
【００１５】
そのため、本明細書において開示されるシステム及び方法は、デバイスをワイヤレスローカルネットワークに接続することを容易にするためのセキュアな手法を提供し得る。また、このプロセスが新しいデバイスによってトリガされ、それによって電力を大量消費する背景プロセスを実行する必要が避けられるため、この手法は電力効率が良いものとすることができる。所望であれば、ワイヤレスネットワークにおける新しいデバイスの接続について成功又は失敗を確認するための閉ループフィードバックを提供するようにデバイスがプログラミングされ得る。
【００１６】
図１は、ワイヤレスデバイス１及びワイヤレスデバイスＮとして例示される、２つ又はそれ以上のワイヤレスデバイス１２を含む通信システム１０の例を示し、Ｎはシステム１０におけるワイヤレスデバイスの数を示す正の整数である。通信システム１０において、ワイヤレスデバイス１２及び１４の各々は、ピア構成方法を実装するように事前構成されるものと想定される。ワイヤレスデバイスの各々は、その構成状態に応じてピア構成方法の一部を実装するようにプログラミングされる、それぞれ、対応する構成マネージャ１６及び１８を含む。例えば、構成マネージャ１６及び１８は、既に構成されワイヤレスネットワークに接続されているかどうか、又は、デバイスが事前構成されており、そのためまだワイヤレスネットワークに接続されていないかどうかに応じて、異なって機能する。構成マネージャ１６及び／又は１８は、ＩＣチップ上などの集積回路（ＩＣ）として実装され得る。
【００１７】
図１の例において、ワイヤレスデバイス１４は、接続２２を介して例示され、ワイヤレスネットワーク２０に既に接続されている。ワイヤレスネットワーク２０は、一つ又は複数のアクセスポイントを含み得、対応するワイヤレスプロトコルを実装し得る。そのため、構成マネージャ１８は、ワイヤレスネットワークと接続するのに充分なネットワーク情報を備えて構成される。ネットワーク情報は、ワイヤレスネットワーク２０に対して名前を特定する固有ネットワーク識別子（例えば、サービスセット識別子（ＳＳＩＤ））を含む。付加的に、セキュアワイヤレスネットワークの場合、構成マネージャ１８においてプログラミングされるネットワーク情報は、ワイヤレスネットワーク２０についてのセキュリティ証明書を含み得る。セキュリティ証明書は、確立されたセキュリティプロトコルに従ってネットワークについて定義されているパスワードを含み得る。８０２．１１Ｘワイヤレス技術のうちの一技術の例の場合、ネットワーク情報におけるセキュリティ証明書は、こうしたワイヤレスネットワークについてのＷＰＡ（Wi-Fi protected access）又はＷＰＡ２（Wi-Fi protected access 2）パスワード、及び、ネットワークアクセスを得るために必要な任意の付加情報（例えば、エンタープライズ認証のためのユーザＩＤ、キャプティブポータルログイン証明書、ローミングプロバイダアクセスコード）に対応し得る。通信システム１０及びワイヤレスネットワーク２０は、２〜３の例を挙げると、低エネルギーＢｌｕｅｔｏｏｔｈ、ＩＥＥＥ  ８０２．１５．４、又はＺｉｇＢｅｅなどの、他のワイヤレス通信プロトコルに従って実装され得る。以下の例は、ワイヤレスネットワークが、８０２．１１規格群のうちの一つに（即ち、Ｗｉ−Ｆｉネットワークに）従って実装されることを想定し得る。しかしながら、例示の実施形態は、他のタイプのワイヤレス通信プロトコルの文脈においても等しく適用可能（及び実装可能）である。
【００１８】
再度図１を参照すると、まず、ワイヤレスデバイス１２は、ワイヤレスネットワーク２０において接続するように構成されていないため、事前構成された状態で動作することが想定される。そのため、構成マネージャ１６は、ワイヤレスデバイスが、ネットワーク２０によって実装されるワイヤレス通信プロトコルを用いてスキャンリクエストを送信する、ピア通信方法の検索フェーズを実装する。例えば、スキャンは、プローブリクエスト、又は所定の構成情報要素を含む他の管理フレームに対応し得る。所定の構成情報要素は、ワイヤレスデバイス１２を、ピア構成方法を実装するように構成されているもの（即ち、それがピア構成対応デバイスである）として識別する。前述のように、他のワイヤレスデバイスもピア構成方法を実装するように構成されており、接続２２を介して既にワイヤレスネットワーク２０に接続されているので、構成マネージャ１８は構成後状態で動作する。構成後状態において、デバイス１４の構成マネージャ１８は、ワイヤレスデバイス１２から受信されたリクエストに応答して、対応する応答を発行する。リクエストと同様、構成マネージャ１８によって提供される応答は、ワイヤレスデバイス１４もピア構成方法を実装するように構成されることを示す所定の構成情報要素を含み得る。ワイヤレスデバイス１２と１４との間でのこの交換は、ワイヤレスデバイス間の規定の信頼できる関係を確立するために有用である。
【００１９】
ワイヤレスデバイス１２及び１４が、ワイヤレスデバイス（例えば、どちらもピア構成対応デバイスである）間に存在する規定の関係を確立した後、デバイス１２及び１４は、２４で例示されるセキュアチャネルを介してピアツーピア接続をつくり得る。セキュアチャネル２４は、非対称暗号方式に従って実装され得る。セキュア通信チャネル２４を確立するために、ワイヤレスデバイスの各々は、共通の暗号方式に従って暗号鍵を含むパケットを交換し得る。一例として、暗号方式は、ワイヤレスデバイス１２上で動作する事前プログラミングされたルート証明に従って、楕円曲線ディフィー・ヘルマン（ＥＣＤＨＥ）−楕円曲線デジタル署名アルゴリズム（ＥＣＤＳＡ）鍵交換に基づいて実装され得る。ＥＣＤＨＥ−ＥＣＤＳＡ暗号技術は、デバイス１２及び１４に記憶され、デバイス１２及び１４によって用いられる、２つの個別の鍵を必要とするアルゴリズムに基づいて、非対称暗号プロトコルを提供する。例えば、デバイス１２と１４との間での鍵交換は、別のプローブリクエスト及び／又は関連付けられたプローブ応答などにおいて、デバイス間でワイヤレス通信される管理フレームに付加される別の情報要素を介して実装され得る。こういった交換は、オーセンティックでありセキュアなデータパケットをデバイス１２と１４との間でセキュアチャネル２４を介して通信するためにマルチビット共有鍵をつくるために有用である。デバイス１２及び１４の各々は、別の公開鍵暗号技術又は対称鍵暗号技術などを含む、他の暗号方式を実装し得る。
【００２０】
構成マネージャ１８は、ワイヤレスネットワーク２０と接続し、ワイヤレスネットワーク２０において動作するために、ワイヤレスデバイス１２を提供するのに充分なセキュアチャネルを介して、ネットワーク情報をワイヤレスデバイス１２に提供し得る。例えば、ネットワーク情報は、ネットワーク名（例えば、ＳＳＩＤ）、ネットワークパスワード、及び、ワイヤレスネットワーク２０内のデバイスによるセキュア通信を提供するためにワイヤレスデバイス１２によって用いられ得る任意の付加的メタデータを含み得る。
【００２１】
セキュリティを増強するためなどのいくつかの例において、ワイヤレスデバイス１４がネットワーク情報をワイヤレスデバイス１２に提供する前に、既に接続されたワイヤレスデバイス１４が、新しいデバイスをネットワーク２０に追加するための承認のために、ネットワークの認可ユーザに確認リクエストを送信し得る。確認リクエストは、ネットワーク２０を介して提供され得る。例として、確認リクエストは、ワイヤレスデバイス１４から直接的に、或いは、電子メール、インスタントメッセージング、又はテキストメッセージングなどの、対応するウェブサービスを介して、提供され得る。ワイヤレスデバイス１２がワイヤレスネットワーク２０に接続することを承認されたことを確認する認可ユーザからのユーザ入力に応答して、ワイヤレスデバイス１４は、セキュアチャネルを介してネットワーク情報をワイヤレスデバイス１２に提供し得る。
【００２２】
付加的に又は代替として、ワイヤレスデバイス１２は、更なるセキュリティ手段として、デバイス１２がネットワーク２０に成功裏に接続されている旨をユーザに通知する接続通知を、１人又は複数の認可ユーザ（例えば、確認リクエストが送信されたユーザと同じか又は異なるユーザ）に提供し得る。そのため、新しいワイヤレスデバイス１２からの接続通知は、構成プロセス全体の正常な完了を認可ユーザに通知するために、肯定応答を提供し得る。新しいワイヤレスデバイス１２にネットワーク情報が提供された後、ワイヤレスデバイス１２及び１４は、セキュアチャネル２４をティアダウン（tear down）し得、それによってワイヤレスデバイスの各々をワイヤレスネットワーク２０と接続したままとし得る。付加的に、何らかの理由で新しいデバイス１２がネットワーク２０に接続できない（例えば、ネットワーク接続を確立できない）場合、新しいデバイスの構成マネージャ１８は、既に接続されたデバイス１４に失敗について通知するために、セキュア通信チャネル２４を用いるようにプログラミングされ得る。各デバイスは、コンピュータ又は他の端末デバイスに接続することなどによって、ユーザ入力に応答して手動で構成され得る。セキュアリンク２４を介する通知は、失敗に関する一つ又は複数の理由（例えば、一つ又は複数の事前定義された理由コード）を識別する情報を含み得る。
【００２３】
図２は、ワイヤレスデバイス（例えば、図１の例におけるワイヤレスデバイス１２及び１４のうちの一つ）によって実装され得る通信制御システム５０の例を示す。例えば、図１のワイヤレスデバイスの各々は、通信制御システム５０及び他のセンサ、アクチュエータ、又は、それぞれのデバイス１２〜１４に関連付けられる様々な機能を回避するようにプログラミングするための他の構成要素を含み得る。各々のワイヤレスデバイスの構成マネージャによって実装されるピア構成方法は、こうした各デバイスをモノのインターネット（ＩｏＴ）の一部として動作するように実装することを容易にし得る。通信制御システム５０は、ＩＣチップ上で回路として実装され得るか、又は、その機能が、複数のＩＣチップ上に含まれる回路要素全体に分散され得る。
【００２４】
一例として、ワイヤレスデバイス１２及び１４の各々は、家庭用又は他の施設の異なる部分に関連付けられるセンサに対応するなどの、分散システム（例えば、ホームオートメーション及び／又は防犯システム）の一部として実装され得る。例えば、ワイヤレスデバイス１２の一つは、感知した状況のインディケーションをワイヤレスネットワークの一部でもあるシステムプロセッサにネットワーク２０を介して提供し得る動き検出器とし得る。他のデバイスが、ドアの開閉などに関連付けられる回路の開閉を検出するためのスイッチを実装し得る。ワイヤレスデバイスの他の例が、様々な家庭用デバイスの感知及び／又は制御を含み得るなどの、他のオートメーション機能に対して構成され得る。更に他の例において、ワイヤレスデバイスは、当分野で知られているような様々なオートメーション又は感知機能を実装するために、車、ボート、又はレクリエーション用車両などの車両の一部として実装され得る。これらの機能は例として提供されており、潜在的な適用例はユーザ次第である。
【００２５】
図２の例において、通信制御システム５０は、双方向通信リンクを介して情報をワイヤレスに通信するためにアンテナ５４に結合されるトランシーバ５２を含む。そのため、トランシーバ５２は、システム５０が実装されるワイヤレスネットワークのワイヤレスプロトコルを含む、一つ又は複数のワイヤレス通信プロトコルに従って、情報を送信及び情報を受信するように構成される。通信システム５０はまた、メモリ５６及びプロセッサ５８を含む。メモリ５６は、内部に記憶されるデータ及び命令を含む。プロセッサ５８は、メモリに記憶された機械可読命令を実行する一方で、データを用いるためにメモリ５６にアクセスし得る。図２の例において、本明細書で開示するピア構成方法の実装の一部として、プロセッサは、構成マネージャ（例えば、図１の構成マネージャ１６又は１８）６０及び暗号化制御６４を含み、命令を実行するようにプログラミングされる。
【００２６】
例えば、構成マネージャ６０は、構成方法を実装するために構成データ６２を用いることができる。構成マネージャ６０によって実装される動作は、構成データ６２の一部として記憶され得る、システム５０の構成状態に依存し得る。構成データ６２の一例が図３に例示されている。
【００２７】
構成データ６２は、第３の構成方法を実装するために有用である通信制御システム５０の状態を特定する構成状態データ７０を含み得る。例えば、構成状態７０は、事前構成された、接続している、接続されている、構成している、及び／又は事後構成された、状態を含み得る。そのため、所与のデバイスのそれぞれの状態に従って、こうした状態情報を含む所与のメッセージの受信者が、本明細書で開示するように、メッセージを提供すること又は規定機能を実装することなどによって応答し得る。構成データ６２は、対応するワイヤレスネットワークにおいて動作するワイヤレスデバイスについて固有に名前を識別し得るデバイス識別子７２を含むこともできる。
【００２８】
構成データ６２は構成情報要素７４も含み得る。構成情報要素７４は、ワイヤレスデバイスがピア構成技術をサポートすることを示す、所定の識別子（例えば、プロプライエタリトークン）を含み得る。いくつかの例において、付加的に、（その構成データ６２によって定義されるような）事後構成された状態で動作するワイヤレスデバイスが、ネットワークにおいて動作するために一つ又は複数の事前構成されたワイヤレスデバイスを提供するように作用するかどうかに応じて、更にイネーブル又はディセーブルされ得る。例えば、製造業者又はサービスプロバイダが、いずれの特定デバイスが、他のワイヤレスデバイスに提供するために或る事後構成された制御を実装するようにプログラミングされるかを制御するように、一つ又は複数のワイヤレスデバイスをプログラミングし得る。イネーブルされる場合、構成マネージャは、同じく構成情報要素を含む別のワイヤレスデバイスからリクエストメッセージを受信することに応答する応答メッセージにおいて、事後構成されたワイヤレスデバイスに構成情報要素を送信させることができる。
【００２９】
構成データ６２はまた、ワイヤレスネットワークにおいて接続するために必要とされるネットワークアクセス証明を特定するため、ネットワーク証明７６を含み得る。前述のように、ネットワーク証明は、ＳＳＩＤ、ネットワークパスワード、又は、ワイヤレスネットワーク内の動作を可能にするために新しいデバイスに渡されるべき他の情報を含み得る。例えば、含まれ得る付加情報は、デバイス名、オーナー情報、或いは、シームレス及びセキュアな様式でのワイヤレスデバイスの提供を容易にするために製造業者又はユーザが含めることを望み得るその他のプロプライエタリ情報である。
【００３０】
図２を再度参照すると、セットアップのために暗号化データ６６を用い得る暗号化制御６４は、所定の構成情報要素を含むメッセージを交換した後、ワイヤレスデバイス間のセキュアチャネル（例えば、図１のセキュアチャネル２４）を使用及びティアダウンする。例として、暗号化制御方法６４は、ＥＣＤＨＥ−ＥＣＤＳＡ暗号プロトコルに従って実装され得るが、他の暗号化プロトコルも使用され得る。例えば、暗号化データ６６は、相互認証のため、及びセキュア通信チャネルの作成の際の使用のために、別のワイヤレスデバイスに提供され得る所定の暗号鍵を記憶し得る。暗号化制御６４によって実装される暗号プロトコルは、初期交換の一部としてデバイス間に提供される構成情報要素に加えて、別のレベルのセキュリティを提供する。認証された後、暗号化制御６４は、本明細書で開示されるようなセキュアチャネル２４を介して、ネットワーク情報を含むセキュアなデータパケットを通信するために、マルチビット共有鍵（暗号化データ６６の一部も記憶される）を用い得る。したがって、暗号化データ６６は、セキュア通信チャネルを介して提供される情報を暗号化及び解読するための鍵を提供し得る。
【００３１】
更なる例において、通信制御システム５０は、実装されているワイヤレス通信プロトコルに従って、プローブリクエスト、プローブ応答、又は他のタイプの管理フレームなどの、管理フレームを送信し得る。管理フレームは、情報要素８０を含むなど、一つ又は複数の情報要素を含み得る。図４は、本明細書で開示するピア構成方法を実装するワイヤレスデバイスから（例えば、管理フレームにおいて）提供され得る構成情報要素８０の例を示す。情報要素８０は、管理フレームにおいて提供されている情報要素の特定のタイプの内容を示すために規定の識別子を特定する情報要素ＩＤ（ＩＥ＿ＩＤ）を含み得る。
【００３２】
情報要素８０はまた、静的又は導出データとして（例えば、構成情報要素７４に）記憶される、所定の構成コード８４を含み得る。例えば、構成コード８４は、情報要素８０を含むメッセージの送信者がピア構成方法を実装するように構成されている旨を、相互に構成された他のデバイスに通知するためのプロプライエタリな静的コードであり得る。情報要素８０はまた、８８において示される情報要素状態のインディケーション（ＩＥ＿ＳＴＡＴＥ）を含み得る。例えば、情報要素状態データ８８は、情報要素の送信元であるワイヤレスデバイスについての構成状態（例えば、図３の構成状態データ７０）に従って、情報要素の現在の状態又は状況を特定する。そのため、情報要素８０を含む管理フレームに対して各受信側デバイスがどのように応答するかを決定するために、情報要素状態データ８８が処理及び評価され得る。送信者についての識別子（ＳＥＮＤＥＲ＿ＩＤ）８６などの他の情報を、情報要素８０に含めることができる。送信者ＩＤ８６は、構成データ６２のデバイスＩＤデータ７２に対応可能し得る。
【００３３】
図５は、本明細書で開示するピア構成方法を実施するようにプログラミングされ得る構成マネージャ６０の例を示す。前述のように、所与のワイヤレスデバイス（例えば、図１のデバイス１２又は１４）において実装されているピア構成方法は、各デバイスの構成状態に応じて変動する可能性がある。そのため、構成マネージャ６０は構成状態機械９０を含み得る。構成状態機械９０は、状態機械がピア構成方法の一部としてトラバース可能な、複数の異なる状態を実装し得る。
【００３４】
一例として、構成状態機械９０は、状態機械を実装しているデバイスが事前構成された状態にあるか又は事後構成された状態にあるかに応じて概して変動し得る様々な状態の間で遷移するために論理を実装し得る。そのため、図５の例において、説明をわかりやすくするために、構成状態機械９０は、事前構成された制御９２及び事後構成された制御９４を含むものとして例示されている。事前構成された制御は、ワイヤレスネットワークにおいて動作するようにデバイスを構成するために、事前構成されたワイヤレスデバイスによって実装され得る論理のシーケンスを実装する。ワイヤレスネットワークにおいて動作するようにワイヤレスデバイスが構成された後、このデバイスは、事前構成された状態から事後構成された状態へと遷移し得、事後構成された制御９４を実装し得る。事後構成された制御９４は、前述のように、製造業者又はユーザなどによりユーザプログラミング可能とし得る。事前構成された制御９２によって実装され得るピア構成方法の例が、図７のフローチャートに例示されている。事後構成された制御９４によって実装され得るピア構成方法の例が、図８の例に例示されている。
【００３５】
構成マネージャ６０は、ワイヤレスデバイスからの通信を制御するように構成される通信プロセッサ９８も含む。本明細書で開示するように、ピア構成方法に関する通信はリクエスト又は応答を含み得る。そのため、通信プロセッサ９８は、（例えば、トランシーバ５２の送信器部分によって通信される）プローブリクエスト又はプローブ応答などの、管理フレームを送信するために、メッセージングエンジン１００を実装し得る。付加的に、リクエスト又は応答の一部として、メッセージングエンジン１００は、ピア構成方法を実装するデバイスを示すために、所与のワイヤレスデバイスから送信される各管理フレームにおける対応する情報要素を含み得る。通信プロセッサ９８は、他のワイヤレスデバイスからワイヤレスデバイスにおいて（例えば、トランシーバ５２の受信器部分によって）受信されるメッセージを処理するための、メッセージアナライザ１０２も含み得る。通信プロセッサ９８は更に、通信のモード、及び、構成状態データ７０（図３）に応じて通信が送信される際に介するチャネルを制御し得る。
【００３６】
例えば、事前構成されたデバイスのための構成状態機械９０は、事前構成された状態にあり、そのため、事前構成された制御９２は対応するピア構成方法を実装する。事前構成された制御９２は、ピア構成方法を実装する別のワイヤレスデバイスを探索するように、及び、セキュア通信チャネルを確立するために他のワイヤレスデバイスに接続するように、及び、他のワイヤレスデバイスから提供されるネットワーク情報に基づいてワイヤレスネットワークと接続するようにワイヤレスデバイスを構成するように、プログラミングされた命令を含み得る。
【００３７】
更なる例において、事前構成されたワイヤレスデバイスの場合、通信プロセッサ９８は、ワイヤレスプロトコルに従いワイヤレス通信チャネルを介してプローブリクエストを送信することによって探索を開始するために、メッセージングエンジン１００を用い得る。メッセージアナライザ１０２は、別のワイヤレスデバイスからの応答がピア構成方法を実装する他のワイヤレスデバイスを示す構成情報要素を含むかどうかを判別するために、トランシーバ５２を介して受信される情報を解析し得る。通信プロセッサ９８は、デバイス間でクリアな通信チャネルを確立するために、暗号化制御６４を用い得る。セキュアチャネルが確立された後、既に構成されたデバイスは、事前構成されたワイヤレスデバイスがワイヤレスネットワークにおいて動作できるようにするため、ネットワーク情報を提供し得る。
【００３８】
いくつかの例において、ワイヤレスネットワークは、ピア構成方法を実装するように適合される複数の事前構成されたワイヤレスデバイスを含み得る。事前構成されたデバイスは、応答が受信された場合に応答を評価し得、デバイスのランキングに基づいてワイヤレスデバイスのうちの一つを選択し得る。例えば、事前構成された制御９２は、プローブ応答において提供される情報を評価し得、及び、一つ又は複数の要因に基づいてセキュアな接続を確立するために応答するピアデバイスのうちの一つを選択し得る。付加的に、ネットワーク動作に対して同時又は逐次的に構成され得る、複数の事前構成されたデバイス（例えば、デバイス１２）が存在し得る。例えば、複数の事前構成されたデバイスが、（通信が媒体アクセス規則を遵守するので）互いに干渉し合うことなく異なる事前構成されたデバイスによって同時に構成され得る。
【００３９】
前述のように、事前構成された制御、又は構成マネージャ６０において実装されるその他の方法は、いずれのデバイスがより大きな利用可能な予備電力を有するかに従って、応答する事後構成されたデバイスをランキングし得る。付加的に又は代替として、セキュア通信チャネルを介して接続するためのピアワイヤレスデバイスを選択するための根拠として、信号強度が有用である。付加的に、複数のアクセスポイントが利用可能な場合、事前構成された制御９２は更に、事前構成されたワイヤレスデバイスが、それとの間の信号強度が最大であるアクセスポイントと接続され得るように、アクセスポイントと事前構成されたワイヤレスデバイスとの間の受信された信号強度に基づいて、所与のピアワイヤレスデバイスを選択し得る。更なる例として、事前構成されたデバイスの各々を（例えば、一つずつ）構成するために、事前定義されるデバイス公開名に基づいて（例えば、ユーザ入力選択に応答して）、手動選択が用いられ得る。ピア構成方法の一部として接続するために事後構成されたワイヤレスデバイスのいずれかを選択するために、事前構成されたワイヤレスデバイスによって、これら及び／又はその他の基準の組み合わせが用いられ得る。
【００４０】
事後構成されたワイヤレスデバイス（前の例では、既に接続されたデバイスとして説明された）において実装される構成マネージャ６０の観点から、事後構成されたデバイスは、状態機械の事後構成制御９４、及び、事前構成されたワイヤレスデバイスをワイヤレスネットワークにおいて動作できるようにするための情報を通信するための通信プロセッサ９８も実装し得る。例えば、アナライザ１０２は、事前構成されたデバイスからのプローブリクエストを解析し、構成情報要素を検出する。構成情報要素の検出に応答して、構成マネージャ６０は、図４に例示された情報要素８０などの対応する情報要素を含むプローブ応答を発行するために、事後構成されたデバイスの通信プロセッサ９８においてメッセージングエンジン１００を用いる。事後構成されたデバイスは、次に、対応する情報要素において接続されていることを示すＩＥ状態と共に次のメッセージを受信し得る。接続された状態は、暗号化制御６４及び通信プロセッサ９８を協働させるようにトリガし得、そして、セキュア通信チャネルを確立し得、このセキュア通信チャネルを介して、事後構成されたデバイスは事前構成されたデバイスにネットワーク情報を提供し得る。
【００４１】
事前構成されたワイヤレスデバイスと事後構成されたワイヤレスデバイスとの間の情報の流れの説明のため、図６はシグナリング図１５０の一例を示す。図６の例において、シグナリング図は、事前構成されたデバイス１５２、事後構成されたデバイス１５２、アクセスポイント１５６、及びユーザ１６０を例示する。事前構成されたデバイスは、アクセスポイント１５６によって実装されるワイヤレスネットワークとは接続されていないこと、及び、事後構成されたデバイス１５４は、ワイヤレスネットワークにおいて動作するように既に構成されていることが想定される。また、これらのデバイス１５２及び１５２の各々が、本明細書で開示するピア構成方法を実装するように構成されていること、そのため、本明細書で開示するようなピア構成方法の様々な部分を実装するために、対応する構成マネージャ６０及び関係する暗号化制御６４を含むことが想定される。
【００４２】
例として、事前構成された状態（例えば、図３の構成状態７０）におけるアクティベーション及び動作に応答して、事前構成されたデバイス１５２は、事前構成された制御９２を実装し、１６２において示される対応するプローブリクエストを発行する。そのため、プローブリクエスト１６２は、ピア構成方法を実装し事後構成状態で動作している一つ又は複数のワイヤレスデバイスを探索するための、ネットワークにおけるスキャンに対応し得る。この例において、（図５の事後構成された制御９４を実装する）事後構成されたデバイス１５４は、デバイス１５２、事後構成されたデバイス１５４によって発行されるプローブリクエストに応答して、１６４でプローブ応答を送信し得る。いくつかの例において、事後構成された制御９４によって実装されるピア構成方法の一部として、事後構成されたデバイス１５４は、ネットワークに入った可能性のある新たなデバイスの構成を容易にするために、低レートで周期的に自発プローブ応答し得る。プローブ応答１６４に応答して、デバイスのうちの一つ又は両方は付加的なプローブメッセージを提供することが可能であり、このメッセージにおいて、情報要素の状況（ＩＥ状態８８）は、デバイス１５２と１５４との間の接続手順を開始するために接続するように変更され得、破線１６５で例示されている。
【００４３】
１６６で、事前構成されたデバイス１５２は、デバイスのメモリに記憶される事前プログラミングされたルート証明を提供し得る（例えば、図２の暗号化データ６６の一部）。事後構成されたデバイスは、デバイス１５２及び１５４を互いに認証するために用いられ得る対応する鍵を導出するために１６６において提供された鍵を用い得る。データを暗号化及び解読するために対応する暗号鍵がつくられた後、１７０において示される対応するセキュア通信チャネルが、それぞれのデバイス１５２と１５４との間でのピアツーピア通信を可能にするために開かれ得る。事後構成されたデバイス１５４は、対応するネットワーク情報を、１７２において示されるセキュアチャネルを介してデバイス１５２に提供し得る。ネットワーク情報は、ネットワーク名（例えば、ＳＳＩＤ）、及び、ワイヤレスネットワークと接続するためにデバイス１５２によって要求されるパスワードを含み得る。
【００４４】
いくつかの例において、ネットワーク情報を送信する前の付加的なセキュリティのため、事後構成されたデバイス１５４は、ネットワークに直接的に接続され得る、又は、ネットワーク１５６を介してアクセス可能な対応するサービス（例えば、電子メール、テキストメッセージ、又はインスタントメッセージ）を介して接続され得るユーザ１６０にリクエストを送信し得る。そのため、ユーザ１６０は、確認リクエスト１７４に応答して確認応答１７６を発行するために、ユーザインターフェースと対話し得る。事後構成されたデバイス１５４が確認応答１７６を受信することに応答して、デバイス１５４は、事前構成されたデバイス１５２にネットワーク情報を発行し得る。ワイヤレスネットワークにおいて新しいデバイスが接続されることをユーザが承認した旨を確認する肯定的な応答を受信しない場合、事後構成されたデバイス１５４は、事前構成されたデバイス１５２に対して応答しないかこともでき、又は、続行することが許可されない命令を含むなどの別のメッセージ命令を送信することができる。
【００４５】
更に別の例として、１７２におけるネットワーク情報の受信に応答して、事前構成されたデバイス１５２は、確認リクエスト１７４と同様に、ネットワーク又は関連付けられたサービスを介してユーザ１６０に通知１７８を提供し得る。１７８において提供される通知は、事前構成されたデバイス１５２がワイヤレスネットワークにおいて動作するように成功裏に構成されていること、そのため、本明細書で開示するように、暗号化されたワイヤレスプロトコルを介してアクセスポイント１５６に接続されることを、ユーザに通知し得る。何らかの理由で、ワイヤレスネットワークへの接続が失敗した場合、事前構成されたデバイスは、セキュアなワイヤレス通信チャネルを介して（例えば、失敗及び一つ又は複数の理由を識別する）失敗通知を第２のデバイスに送信し得る。そのため、この通知は、閉ループ動作についてフィードバックを提供し得る。
【００４６】
図７は、ワイヤレスデバイスの構成マネージャの事前構成された制御（例えば、図５の制御９２）によって実装され得る方法２００の例を示す。この方法は、ワイヤレスデバイスが事前構成された状態に入る２０２で開始される。例えば、ワイヤレスデバイスは、電源投入又はその他の方法でワイヤレスネットワークから切断された後、ワイヤレスデバイスの初期状態として事前構成された状態に入ることができる。事前構成された状態において、２０４で、ワイヤレスデバイスは、ピア構成方法を実装するその他のワイヤレスデバイスの探索の一部としてリクエストを送信し得る。例えば、リクエストは、プローブリクエスト、又は別の形態の管理フレームとし得る。リクエストは、デバイスの状態、及び、図４に関して開示された情報要素８０などのピア構成方法を実装するためのその能力を、識別するための情報要素を含み得る。
【００４７】
一つ又は複数の他のワイヤレスデバイスが、このリクエストに対する応答を送信することが可能であり、応答は２０６で受信される。例えば、２０６で受信される応答は、リクエストに応答して、又は恐らく他のワイヤレスデバイスにより自発的に、発行されるプローブ応答とし得る。２０６で複数の応答が受信された場合、２０８において、この方法は、応答を評価すること、及び、ピア通信のために複数の異なる事後構成されたデバイスのうちの一つを選択することを含み得る。本明細書で開示するように、この選択は、ワイヤレスデバイス及びそのアクセスポイントの信号強度、及び／又は、それぞれのデバイスの各々の予備電力などの一つ又は複数の他の要因に基づき得る。これにより、予備電力が少ないデバイスにかかる負担を回避すること、及び、この方法を実装するデバイスが、最高信号強度を有するアクセスポイントに接続することを保証することを、助けることができる。
【００４８】
２１０で、方法２００で実装される事前構成されたワイヤレスデバイスと、２０８で選択されたデバイスとの間に、セキュア通信チャネルが確立され得る。例えば、セキュア通信チャネル２１０は、本明細書で開示するような非対称暗号方式を用いて確立され得る。２１２で、セキュア通信チャネルを介してネットワーク情報が受信され得る。ネットワーク情報は、デバイスのメモリ（例えば、メモリ５６）に記憶され得る。２１４で、ワイヤレスデバイスは、ワイヤレスネットワークと接続するためにネットワーク情報を用いることが可能であり、それによって動作可能となる。２１４で、ワイヤレスデバイスはその事後構成された状態に入ることができる。
【００４９】
図８は、ワイヤレスネットワークにおいて既に接続され、動作しているデバイスの、事後構成された制御（例えば、図５の制御９４）によって実装され得る方法２５０の例を示す。そのため、方法２５０は、デバイスが事後構成された状態で動作している２５２で開始される。２５４で、デバイスは、応答の送信者がピア構成方法を実装するように構成されていることを示すために、所定の情報要素を含む応答を送信し得る。例えば、２５４における応答は、図４に関して開示された情報要素８０を含み、構成された状態として状態を識別する、プローブ応答とし得る。２５４における応答は、リクエストが受信されることに応答して提供され得るか、又は、低レートで周期的に提供されるように、自発的であり得る。
【００５０】
２５４における応答の送信に続き、デバイスは、２５６で、別のワイヤレスデバイスから暗号鍵を受信し得る。２５６において受信された鍵に応答して、２５８で、対応する暗号鍵を含むメッセージが送信者に返送され得る。したがって、２５６及び２５８における鍵の交換は、それぞれの鍵を送信するワイヤレスデバイスを認証するために有用である。認証の際、２６０で、ワイヤレスデバイス間にセキュア通信チャネルが確立され得る。いくつかの例において、方法２５０は、２６２で、オーナーからの確認を要求することを含み得る。この確認要求は、オーナー又は他の認可ユーザが、ワイヤレスネットワークにおいて新しいデバイスを追加するためにネットワーク情報の提供を承認することを要求し得る。
【００５１】
２６４で、オーナーから承認が受信されたかどうかの判定が成され得る。オーナーが２６２におけるリクエストに応答して承認を提供する場合、方法２００は２６６に進み、２６６で、２６０で確立されたセキュアなチャネルを介して、ネットワーク情報が他のデバイスに送信され得る。承認が受信されないか又は所定の時間期間内に受信されない場合、この方法は２６４から２６８に進んで終了し得る。いくつかの場合、承認が受信されないこと、及びネットワーク情報が提供されていないことを示すために、新しいデバイスに通知が提供され得る。こうした状況において、新しいデバイスは、事前構成された状態でピア構成方法を再開し得る。他の例において、方法２００は、この方法が２６０から２６６へ直接進み得るように、オーナーの確認を要求しないように実装され得る。
【００５２】
特許請求の範囲内で、説明した実施形態における改変が可能であり、他の実施形態も可能である。
【図１】
2018513575.tif 000003
【図２】
2018513575.tif 000004
【図３】
2018513575.tif 000005
【図４】
2018513575.tif 000006
【図５】
2018513575.tif 000007
【図６】
2018513575.tif 000008
【図７】
2018513575.tif 000009
【図８】
2018513575.tif 000010
【国際調査報告】
2018513575.tif 000011